(57)【要約】【課題】同じ走行空間を繰り返し走行させる場合に、轍の軽減を図り、安定走行ができる自走式機器を提供することを目的とする。【解決手段】機器本体１００を移動させる移動手段１０２と、機器本体１００のコントロール手段１０１と、電池１０４と、障害物を検出する障害物検出手段１０３とを備え、コントロール手段１０１は、壁面に沿うように機器本体１００を移動させる場合、移動毎に壁面を沿うように移動する走行内容を自動的に切替えるようにした。これによって、自動切替えで、繰り返し同じところを走行することを防ぎ、自走式機器の走行による轍の発生を低減することができる。したがって、轍を作ってしまい一部の地面や床面の劣化を早めることをなくすとともに、生じた轍によって見栄えを悪くしたり、メンテナンス時期を早めたりすることをなくし、安定走行ができる。【選択図】図１
2009146327.tif 000002
【特許請求の範囲】
【請求項１】
機器本体を移動させる移動手段と、前記移動手段を操作して機器本体の移動をコントロールするコントロール手段と、機器本体に電力を供給する電池と、機器本体の周辺の障害物を検出する障害物検出手段とを備え、コントロール手段は、障害物検出手段により障害物として検出している壁面に沿うように機器本体を移動させる場合、移動毎に壁面を沿うように移動する走行内容を自動的に切替えるようにした自走式機器。
【請求項２】
走行内容の切替えは、壁面と機器本体との沿う距離を自動的に切替える請求項１に記載の自走式機器。
【請求項３】
自動的に切替える壁面と機器本体との距離の変化量は、機器本体の移動によって発生する移動手段の轍の幅以下である請求項２に記載の自走式機器。
【請求項４】
走行内容の切替えは、壁面と機器本体との沿う方向を自動的に切替える請求項１〜３のいずれか１項に記載の自走式機器。
【請求項５】
走行内容の切替えは、機器本体の走行回数によって行う請求項１〜４のいずれか１項に記載の自走式機器。
【請求項６】
走行内容の切替えは、機器本体の走行時間によって行う請求項１〜５のいずれか１項に記載の自走式機器。
【請求項７】
走行内容の切替えは、機器本体の走行距離によって行う請求項１〜６のいずれか１項に記載の自走式機器。
【請求項８】
走行内容の切替えは、走行内容のランダムな選択によって行う請求項１〜７のいずれか１項に記載の自走式機器。
【請求項９】
走行内容の切替えタイミングは、障害物として検出している壁面を沿う動作に切替える時に行う請求項１〜８のいずれか１項に記載の自走式機器。
【請求項１０】
機器本体の移動手段により生ずる轍の筋道に、ブラシで構成される轍軽減手段を備える請求項１〜９のいずれか１項に記載の自走式機器。
【請求項１１】
機器本体に清掃を行う清掃手段を備え、移動手段は、清掃手段の幅よりも内側に配置する請求項１〜１０のいずれか１項に記載の自走式機器。
【請求項１２】
請求項１〜１１のいずれか１項に記載の自走式機器における機能の少なくとも一部をコンピュータに実行させるためのプログラム。
【発明の詳細な説明】
【技術分野】
【０００１】
本発明は、自動的に屋内あるいは屋外を移動して清掃、巡回、監視などの作業を行う自走式機器およびそのプログラムに関するものである。
【背景技術】
【０００２】
従来、この種の自走式機器は、部屋あるいは野外などの走行空間の大きさを推定することや、走行空間の隅を重点的に清掃する、あるいは目的に場所まで迷わずに移動するなどのために、壁面を沿うように走行させる場合がある（例えば、特許文献１、２参照）。
【特許文献１】特開平５−４６２３９号公報
【特許文献２】特開２００５−３５２７０７号公報
【発明の開示】
【発明が解決しようとする課題】
【０００３】
しかしながら、前記従来の構成では、繰り返し同じ走行空間を壁面に沿って走行させると、壁面に沿うため機器本体が毎回ほぼ同じ位置を通ることになるので、例えば、走行輪の通過した跡が残り、地面や床面などの一部と局所的に繰り返し摩擦などが起こることによる劣化が生じることになる。このため、自走式機器の使用を続けることによって一般ユーザが目で見てもはっきりとした轍が生することになる。
【０００４】
このような轍が生ずると、地面の場合では特定位置を深く削ってしまい、例えば、芝生などに影響を与えたり、家庭内であれば、絨毯の寿命を著しく短くしてしまったりすることになる。このため、ユーザにとっては、見栄えが悪くなると共に、メンテナンスの時期を早めることになるので、不利益を被ることになる。さらには、このような症状を懸念するユーザは、自走式機器の本来の目的である、清掃や巡回や特定の場所への移動などの利用を控えてしまうことになる可能性がある。
【０００５】
また、機器本体に関しても、大きく轍が生じることになれば、例えば、時々引っかかったり走行輪が空回りしたりするなど、スムーズに走行できなくなる可能性があるので、安定した走行制御に影響が生ずることになる。
【０００６】
本発明は、前記従来の課題を解決するもので、同じ走行空間を繰り返し走行させる場合に、轍を作ってしまい一部の地面や床面の劣化を早めることをなくすとともに、生じた轍によって見栄えを悪くしたり、メンテナンス時期を早めたりすることをなくし、安定走行ができる自走式機器およびそのプログラムを提供することを目的とする。
【課題を解決するための手段】
【０００７】
前記従来の課題を解決するために、本発明の自走式機器およびそのプログラムは、機器本体を移動させる移動手段と、前記移動手段を操作して機器本体の移動をコントロールするコントロール手段と、機器本体に電力を供給する電池と、機器本体の周辺の障害物を検出する障害物検出手段とを備え、コントロール手段は、障害物検出手段により障害物として検出している壁面に沿うように機器本体を移動させる場合、移動毎に壁面を沿うように移動する走行内容を自動的に切替えるようにしたものである。
【０００８】
これによって、機器本体が障害物として検出している壁面を沿うように移動する場合において、移動毎に移動する走行内容を自動的に切替える、例えば、沿う壁面との距離を走行毎に異なる距離に自動的に切替えることで、繰り返し同じところを走行することを防ぎ、自走式機器の走行による轍の発生を低減することができる。したがって、轍を作ってしまい一部の地面や床面の劣化を早めることをなくすとともに、生じた轍によって見栄えを悪くしたり、メンテナンス時期を早めたりすることをなくし、安定走行ができる。
【発明の効果】
【０００９】
本発明の自走式機器およびそのプログラムは、同じ走行空間を繰り返し走行させる場合に、轍を作ってしまい一部の地面や床面の劣化を早めることをなくすとともに、生じた轍によって見栄えを悪くしたり、メンテナンス時期を早めたりすることをなくし、安定走行ができる。
【発明を実施するための最良の形態】
【００１０】
第１の発明は、機器本体を移動させる移動手段と、前記移動手段を操作して機器本体の移動をコントロールするコントロール手段と、機器本体に電力を供給する電池と、機器本体の周辺の障害物を検出する障害物検出手段とを備え、コントロール手段は、障害物検出手段により障害物として検出している壁面に沿うように機器本体を移動させる場合、移動毎に壁面を沿うように移動する走行内容を自動的に切替えるようにした自走式機器とするものである。これによって、機器本体が障害物として検出している壁面を沿うように移動する場合において、移動毎に移動する走行内容を自動的に切替える、例えば、沿う壁面との距離を走行毎に異なる距離に自動的に切替えることで、繰り返し同じところを走行することを防ぎ、自走式機器の走行による轍の発生を低減することができる。したがって、轍を作ってしまい一部の地面や床面の劣化を早めることをなくすとともに、生じた轍によって見栄えを悪くしたり、メンテナンス時期を早めたりすることをなくし、安定走行ができる。
【００１１】
第２の発明は、特に、第１の発明において、走行内容の切替えは、壁面と機器本体との沿う距離を自動的に切替えることにより、壁面と機器本体との沿う距離を、例えば、５ｃｍから１５ｃｍの間を１ｃｍ刻みの間隔で自動的に切替えることで、轍の発生を低減することができるようになる。
【００１２】
第３の発明は、特に、第２の発明において、自動的に切替える壁面と機器本体との距離の変化量は、機器本体の移動によって発生する移動手段の轍の幅以下であることにより、例えば、車輪による轍であれば、車輪幅以下の変化量にすることによって、前回走行した跡の一部と重複することになるので、常に車輪が走行しないような場所の発生を防ぐことができ、均一的に轍の発生を抑えるとともに、轍の目立ちやすさの低減を行うことができる。
【００１３】
第４の発明は、特に、第１〜第３のいずれか１つの発明において、走行内容の切替えは、壁面と機器本体との沿う方向を自動的に切替えることにより、轍の生する走行方向による癖を相殺あるいは低減することができる。
【００１４】
第５の発明は、特に、第１〜第４のいずれか１つの発明において、走行内容の切替えは、機器本体の走行回数によって行うことにより、例えば、１０回走行したら走行内容を切替えることで、轍の発生を低減することができるようになる。
【００１５】
第６の発明は、特に、第１〜第５のいずれか１つの発明において、走行内容の切替えは、機器本体の走行時間によって行うことにより、例えば１０分走行したら走行内容を切替えることで、轍の発生を低減することができるようになる。
【００１６】
第７の発明は、特に、第１〜第６のいずれか１つの発明において、走行内容の切替えは、機器本体の走行距離によって行うことにより、例えば、１００メートル走行したら走行内容を切替えることで、轍の発生を低減することができるようになる。
【００１７】
第８の発明は、特に、第１〜第７のいずれか１つの発明において、走行内容の切替えは、走行内容のランダムな選択によって行うことにより、例えば、沿う壁面との距離の変更や、走行する壁を沿う側の変更を行うことで、轍の発生を低減することができるようになる。
【００１８】
第９の発明は、特に、第１〜第８のいずれか１つの発明において、走行内容の切替えタイミングは、障害物として検出している壁面を沿う動作に切替える時に行うことにより、走行に違和感無く、轍の発生を低減することができるようになる。
【００１９】
第１０の発明は、特に、第１〜第９のいずれか１つの発明において、機器本体の移動手段により生ずる轍の筋道に、ブラシで構成される轍軽減手段を備えることにより、一度通るだけでも発生するような、例えば絨毯などに残る車輪の形などの発生を抑え、さらに恒久的な轍として残りにくいようにすることができるようになる。
【００２０】
第１１の発明は、特に、第１〜第１０のいずれか１つの発明において、機器本体に清掃を行う清掃手段を備え、移動手段は、清掃手段の幅よりも内側に配置することにより、例えば、車輪などの移動手段の通過した跡を清掃手段によって平滑化することができるので、走行跡の解消および轍の発生の低減を行うことができるようになる。
【００２１】
第１２の発明は、特に、第１〜第１１のいずれか１つの発明における自走式機器の機能の少なくとも一部をコンピュータに実行させるためのプログラムとすることにより、プログラムであるので、電気・情報機器、コンピュータ、サーバなどのハードリソースを協働させて自走式機器の少なくとも一部を容易に実現することができる。また、記録媒体に記録したり通信回線を用いてプログラムを配信したりすることで、プログラムの配布・更新やそのインストール作業が簡単にできる。
【００２２】
以下、本発明の実施の形態について、図面を参照しながら説明する。なお、この実施の形態によって本発明が限定されるものではない。
【００２３】
（実施の形態１）
図１〜図４は、本発明の実施の形態１における自走式機器を示している。
【００２４】
図１に示すように、本実施の形態における自走式機器は、機器本体１００と、機器本体１００を移動させる車輪などの移動手段１０２と、移動手段１０２を操作して機器本体１００の移動をコントロールするコントロール手段１０１と、機器本体１００に電力を供給する電池１０４と、機器本体１００の周辺の障害物を検出する障害物検出手段１０３とを備えている。そして、コントロール手段１０１は、障害物検出手段１０３により障害物として検出している壁面に沿うように機器本体１００を移動させる場合、移動毎に壁面を沿うように移動する走行内容を自動的に切替えるようにしたものである。
【００２５】
前記した自走式機器は、例えば、障害物検出手段１０３によって検出した障害物である壁面との距離を一定に保つように、コントロール手段１０１によって移動手段１０２を制御することにより、部屋の壁面などに沿うように走行させることができる。また、例えば、壁面に沿う距離を走行毎に切替えることで、同じところを繰り返し走行することを避けることができるようになるので、轍の発生を低減することが可能となる。以下に各手段の詳細について説明する。
【００２６】
コントロール手段１０１は、例えば、ＣＰＵ、メモリで構成されている。機器本体１００の動作をコントロールするために、移動手段１０２への制御信号を生成させることや、障害物検出時に障害物検出手段１０３への制御信号を生成させる。構成としては、他にも、ＣＰＵ、メモリを１つにした１チップマイコンや、ＦＰＧＡ、ＤＳＰなどの他の演算可能なものであっても構わない。また、ＨＤＤやＤＶＤやフラッシュメモリなどの記録装置と一緒に構成することで、メモリ容量を大量に利用するような複雑な処理をすることも可能にすることができる。さらに、無線ＬＡＮなどの通信装置と一緒に構成することで、機器本体１００と外部機器との通信が可能になり、蓄積しているデータの送信や、新たな制御パターンの受信など、さらに高度な処理を可能にすることができる。
【００２７】
移動手段１０２のコントロールには、移動手段１０２として利用する装置にあわせて、ＰＷＭ波形などによる制御やシリアル通信による位置の設定などのさまざまな形態の制御をさせることが可能である。
【００２８】
また、障害物検出手段１０３を制御することで、検出が必要なタイミングに合わせて実行させると、電池手段１０４の消費電力を節約しながら測距を行うことも可能となる。他にもコントロール手段１０１は汎用的に利用することができるので、例えば、音声発生やカメラ制御など他の機器本体に付随するさまざまな装置のコントロールとしても、共用で利用することが可能である。
【００２９】
移動手段１０２は、例えば、２つのモータと２つの移動輪を左右に水平に配置するように構成することで、コントロール手段１０１からの制御信号によって、左右のモータの回転数を変化させることにより、移動輪が動作して、機器本体１００が移動する。移動手段１０２は、モータと移動輪の組み合わせ以外にも、複数のサーボモータを組み合わせた関節型のアクチュエータを組み合わせた２本足や４本足などの多足移動可能なものや、利用するモータは、リニアモータなど物理的な動作が可能なものであれば構わない。
【００３０】
障害物検出手段１０３は、例えば、光の反射を利用して、障害物との距離を計測することが可能な測距センサや、超音波の反射を利用して、障害物との距離を計測することが可能な超音波センサや、障害物が機器本体１００に接触したときのスイッチ作動、あるいは、電圧の変化を検出することで、接触を検出するバンパの役割をする接触センサなどによって構成することが可能である。なお、これらのセンサを機器本体１００に複数個組み込んでおくことで、各センサの特性として検出が困難な状態であっても検出能力の相互補間を行うことができるので、検出精度を上げることが可能になる。他にも、ＣＣＤカメラなどの映像を取り込むセンサや、レーザ、電磁波、磁力などの性質を利用したセンサを障害物の検出を行う機能として利用することが可能である。
【００３１】
電池１０４は、例えば、ニッケル水素２次電池にすることで、機器本体１００への電力の供給が可能である。他にも、機器本体１００への電力が供給可能なものであれば、アルカリ乾電池やオキシライド乾電池などの１次電池や、ニッケルカドミウム２次電池、リチウムイオン２次電池、リチウムポリマー２次電池、燃料電池などでも構わない。さらに、有線の電線を使って外部のＡＣ電源から電力を供給することや、マイクロウェーブなどの外部から非接触で電力を供給するなど、機器本体１００が動作中に電力を供給できるものであれば構わない。
【００３２】
次に、図２の壁面を沿うときに走行内容を切替えるフローチャート、図３の壁面を沿うときに壁面との距離を変更する例、および図４の走行内容の切替えタイミング例を用いて説明する。
【００３３】
これは機器本体１００が障害物検出手段１０３によって検出した障害物である壁面との距離を一定に保つように、コントロール手段１０１によって移動手段１０２を制御する。このことにより、部屋の壁面を沿うように走行させるときに、走行内容を切替えて轍の発生を低減させる。
【００３４】
図２のステップＳ２０１から動作が開始する。ステップＳ２０１では、障害物である壁面との沿う距離を自動的に算出する。例えば、コントロール手段１０１などで前回走行したときの壁面との沿う距離を記憶しておき、壁面との距離を前回とは異なる距離とすることで、同じ走行経路を何度も繰り返し走行することを避けることが可能となる。また、移動手段１０２の轍の発生源である移動手段の移動輪の幅以下で、図３（ａ）、（ｂ）に示すように、走行一回目と走行二回目で壁面との距離を変化（ｄ１→ｄ２）させることで、移動手段跡を一部重複して走行させることができるので、轍の発生を抑えて、さらに過去の移動手段跡を目立たなくする効果を得ることが可能となる。また、壁面との沿う距離は、例えば５ｃｍから１０ｃｍの間など、ある特定の距離範囲内でランダムに決めることにより、前回の壁面との距離を記憶せずに同様の轍発生の低減効果を得ることも可能である。
【００３５】
ステップＳ２０２では、壁面との沿う方向を自動的に算出する。壁面との沿う方向とは、機器本体１００の右側に常に壁面が来るように走行空間に対して左回りに走行する場合と、機器本体１００の左側に壁面が常に来るように走行空間に対して右回りに走行する場合の２通りがある。例えば、走行毎に前回と反対側に壁面を沿うようにすることで、移動手段１０２が地面あるいは床面の押す方向を切替えることができるので、轍発生を低減することができるようになる。他にも、ランダムに方向を決めることにより前回の方向を記憶せずに同様の効果を得ることが可能になる。
【００３６】
ステップＳ２０３では、ステップＳ２０１で算出した壁面との沿う距離、およびステップＳ２０２で算出した壁面との沿う方向で、壁面に沿って走行を行う。ステップＳ２０４では、走行内容の切替えを行うタイミングであるか判断を行う。例えば、図４の走行内容の切替えタイミング例に示すように、機器本体１００が走行空間の凹部のコーナに到達したタイミング（走行内容の切替え位置）で切替えを行うことで、ユーザが見ても自然な流れで走行内容の切替えを行うことが可能となる。他にもユーザが走行開始を指示するタイミングで行う場合や、機器本体１００が一定回数以上走行したタイミングで行う場合や、機器本体１００が一定距離以上走行したタイミングで行う場合や、機器本体１００が一定時間以上走行したタイミングで行う場合や、これらの条件を複数組み合わせて切替えのタイミングとして利用しても構わない。なお、切替えタイミングの具体的な条件の決め方については、機器本体を実際に走行させる走行空間の地面あるいは床面の条件と合わせて決めることでより有効に効果を発揮させることができるようになる。
【００３７】
このような流れにより、機器本体１００が壁面に沿って走行する場合に、移動手段１０２あるいは機器本体１００の底面の接触により生じる轍の低減を行うことができるので、同じ走行空間を繰り返し走行させる場合に、一部の地面や床面の劣化を早めるのを防ぐことができる。また、生じた轍によって見栄えが悪くなることを少なくすることができるので、メンテナンス時期を早めてしまうことを防ぐことができるようになる。さらに、轍による機器本体１００の安定走行の影響を低減させることができるようになる。
【００３８】
なお、本実施の形態では、壁面に沿う距離および方向の切替えについて例を挙げて説明したが、他にも壁面に対して沿うように一定の間隔ではなく蛇行動作を行うことや、移動手段１０２を３車輪以上で構成することにより回転しながら移動することによっても同様に轍発生の低減を行うことが可能である。
【００３９】
（実施の形態２）
図５、図６は、本発明の実施の形態２における自走式機器を示している。実施の形態１と同一要素については同一符号を付してその説明を省略する。
【００４０】
図５に示すように、本実施の形態における自走式機器は、機器本体５００の移動手段１０２により生ずる轍の筋道に、ブラシで構成される轍軽減手段５０５を備えている。これにより、機器本体５００が一度通るだけで発生するような、例えば、絨毯などに残る車輪の形（移動手段跡）などの発生を抑え、さらに恒久的な轍として残りにくいようにする構成としたものである。
【００４１】
轍軽減手段５０５は、例えば、図６に示すように、移動手段１０２の移動手段跡の生じる経路上に設けた一点を中心に回転するブラシであり、ブラシを回転動作させることで、ブラシと地面あるいは床面との摩擦により発生した移動手段跡をかき消す役割を果たす。ブラシの備え付ける位置は、移動手段跡の生じる経路上に設けられてあれば、移動手段１０２の前方あるいは後方であっても構わない。また、ブラシの回転方向は機器本体５００の内側に巻き込むようにすることで、機器本体５００にて清掃を行う場合に地面あるいは床面に落ちているゴミをかき集める役目と併用することができるようになる。
【００４２】
このように構成することで、轍の原因である移動手段跡の発生を軽減することができるようになる。また、移動手段跡を軽減することができるので、ユーザが走行後に移動手段跡について気にならなくすることが可能となる。他にも、移動手段１０２の生成する跡をかき消す役目をするように構成するものであればどのようなものであっても構わない。
【００４３】
（実施の形態３）
図７、図８は、本発明の実施の形態３における自走式機器を示している。実施の形態１と同一要素については同一符号を付してその説明を省略する。
【００４４】
図７に示すように、本実施の形態における自走式機器は、機器本体７００に清掃を行う清掃手段７０５を備え、移動手段１０２は、清掃手段７０５の幅よりも内側に配置するものである。これにより、例えば、車輪などの移動手段１０２の通過した跡を清掃手段７０５によって平滑化することができるので、移動手段跡の解消および轍の発生の低減を行うことができる。
【００４５】
清掃手段７０５は、機器本体７００の近辺を清掃する機能を有するものであり、例えば、機器本体７００内部に吸引用のファンモータを設け、掃除機のような吸引口を機器本体７００の底面部に設けることで、機器本体７００が走行することによって、走行した領域のごみや塵を吸引して清掃することができる。他にも、モップのような塵を集める形態や、ほうきのようなブラシでごみをかき集めるような形態や、塵取りのようにごみや塵をすくい上げるような形態など、機器本体７００の近辺を清掃できる構成であれば構わない。また、これらの形態を組み合わせることによって、清掃性能を高めることが可能である。他にも、ごみや塵だけではなく、雑草を刈り取ることや、散らかった荷物を集めることや、砂をならして走行表面を綺麗にするような構成であっても構わない。
【００４６】
図８の清掃手段７０５を有する機器本体７００の例に示すように、移動手段１０２の幅よりも清掃手段７０５の幅を広く移動経路上に設けることで、移動手段１０２で生じる移動手段跡を清掃手段７０５でかき消すことが可能となる。
【００４７】
このように構成することで、清掃手段７０５にて清掃を行うと同時に移動手段１０２の移動跡をかき消すことができるので、効率的に使用することができる。また、ユーザから見てもより自然な形で移動手段１０２の生じる移動跡をかき消すことができるので、違和感無く使用することが可能となる。
【００４８】
（実施の形態４）
次に、本発明の実施の形態における自走式機器について説明する。
【００４９】
本実施の形態における自走式機器は、各実施の形態１〜３に記載の自走式機器における機能の少なくとも一部をコンピュータに実行させるためのプログラムとしたものである。すなわち、各手段１０１〜１０４、５０５、７０５の少なくとも一部をコンピュータに実行させるためのプログラムとしたものである。
【００５０】
プログラムにすることで、容易に汎用的なコンピュータを利用することができるようになり、さまざまな機器本体のプラットフォームに対応させることが容易に可能となる。また、例えば、一部を汎用コンピュータで利用可能なプログラムにすることで、無線ＬＡＮなどの通信機能を用いて、汎用コンピュータと自走式機器を通信させて、コントロール手段の走行の制御などを汎用のコンピュータ側で行うことにより、機器本体のＣＰＵやメモリといった機能の能力を削減することができるので、より安価なものとすることが可能となる。さらに、汎用コンピュータに接続されているインターネットなどの外部との通信機能を介して、外出先からユーザが機器本体を操作することを可能にすることも容易に実現が可能となる。
【００５１】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバなどのハードリソースを協働させるプログラムの形態で実施してもよい。プログラムの形態であれば、磁気メディアや光メディアなどの記録媒体に記録したりインターネットなどの通信回線を用いて配信したりすることで新しい機能の配信・更新やそのインストール作業が簡単にできる。
【産業上の利用可能性】
【００５２】
以上のように、本発明にかかる自走式機器およびそのプログラムは、同じ走行空間を繰り返し走行させる場合に、轍を作ってしまい一部の地面や床面の劣化を早めることをなくすとともに、生じた轍によって見栄えを悪くしたり、メンテナンス時期を早めたりすることをなくし、安定走行ができるので、屋内や野外で効率よく走行する必要がある、掃除ロボットや、監視ロボットや、草刈ロボットや、片付けロボットなど、不特定の空間を自動的に移動しながら作業を行う機器に適用することができる。
【図面の簡単な説明】
【００５３】
【図１】本発明の実施の形態１における自走式機器の構成図
【図２】同自走式機器の壁面を沿うときに走行内容を切替えるフローチャート
【図３】同自走式機器の壁面を沿うときに壁面との距離を変更する例の説明図
【図４】同自走式機器の走行内容の切替えタイミングを示す図
【図５】本発明の実施の形態２における自走式機器の構成図
【図６】同自走式機器の動作を説明する説明図
【図７】本発明の実施の形態３における自走式機器の構成図
【図８】同自走式機器の動作を説明する説明図
【符号の説明】
【００５４】
１００、５００、７００  機器本体
１０１  コントロール手段
１０２  移動手段
１０３  障害物検出手段
１０４  電池
５０５  轍軽減手段
７０５  清掃手段
【図１】
2009146327.tif 000003
【図２】
2009146327.tif 000004
【図３】
2009146327.tif 000005
【図４】
2009146327.tif 000006
【図５】
2009146327.tif 000007
【図６】
2009146327.tif 000008
【図７】
2009146327.tif 000009
【図８】
2009146327.tif 000010